(57)【特許請求の範囲】
【請求項１】
ポンプヘッド（２７）が往復ポンプ（１６）上に位置決めされ、前記往復ポンプ（１６）の長手軸線方向に前後に移動することができる少なくとも一つのピストンは前記ポンプヘッド内に突出し、前記ポンプヘッド（２７）は、清掃液を送る吸引接続部（３１）と、前記清掃液を放出する圧力接続部（３３）とを備え、かつ複数の調整弁（３５、３７）を収容し、前記ポンプヘッド（２７）はプラスチックで作られており、前記ポンプヘッドが締め付け要素（５６；８６）によって前記往復ポンプ（２７）に留められている、前記締め付け要素（５６；８６）は、基部（６３及び６８それぞれ）と前記往復ポンプ（１６）のほぼ長手軸線方向に整列された二つの足部（６１、６２及び６６、６７それぞれ）とを有する少なくとも一つのＵ字形状の締め付けブラケット（６０、６５）を有する、往復ポンプを有する高圧クリーナにおいて、
前記足部（６１、６２及び６６、６７）の自由端部（７６）は、前記往復ポンプ（１６）のピストンガイド（２５）の金属製当接面（７８；８３；９１）に当接し、かつ前記往復ポンプ（１６）へ解放可能に接続されることができることを特徴とする高圧クリーナ。
【請求項２】
前記ピストンガイド（２５）は、前記締め付けブラケット（５６）を前記往復ポンプ（１６）に解放可能に接続するために接続要素（８２）が通る貫通通路開口（８０）を有することを特徴とする請求項１に記載の高圧クリーナ。
【請求項３】
前記往復ポンプ（１６）はカップ状ポンプハウジング（１７）を備え、前記ピストンガイド（２５）は前記ポンプハウジング（１７）上に位置決めされ、前記締め付けブラケット（５６）が前記ポンプハウジング（１７）へ解放可能に接続されることができることを特徴とする請求項１又は２に記載の高圧クリーナ。
【請求項４】
前記ピストンガイド（２７）は金属ガイドスリーブ（８４；９４）を有し、前記金属ガイドスリーブ（８４；９４）は、前記往復ポンプの長手軸線方向に整列されかつ前記ポンプヘッド（２７）に向けられ、かつ前記締め付けブラケット（８６）の足部が前記ポンプヘッド（２７）の自由端部に当接していることを特徴とする請求項１〜３のいずれか１項に記載の高圧クリーナ。
【請求項５】
前記締め付けブラケット（８６）を前記往復ポンプ（１６）へ解放可能に接続する接続要素は、前記ガイドスリーブ（８４）を通過しかつ前記ポンプハウジング（１７）の対応の雌ねじ部（８９）と係合する締め付けねじ（８８）として形成されていることを特徴とする請求項４に記載の高圧クリーナ。
【請求項６】
前記締め付けブラケット（８６）を前記往復ポンプ（１６）へ解放可能に接続する接続要素は、締め付けねじ（９６）として形成されており、前記ガイドスリーブ（９４）は、前記締め付けねじ（９６）が係合している雌ねじ部（９５）を有することを特徴とする請求項４に記載の高圧クリーナ。
【請求項７】
前記締め付け要素（５６；８６）はＵ字形状の二つの締め付けブラケット（６０、６５）を有し、第一の締め付けブラケット（６０）は前記吸引接続部（３１）に隣接した下側領域において前記ポンプヘッド周りに係合し、第二の締め付けブラケット（６５）は前記吸引接続部（３１）と反対の上側領域において前記ポンプヘッド（２７）周りに係合することを特徴とする請求項１〜６のいずれか１項に記載の高圧クリーナ。
【請求項８】
前記締め付け要素（５６；８６）は、前記二つの締め付けブラケット（６０、６５）を互いに強固に接続する接続部（７０）を備えていることを特徴とする請求項７に記載の高圧クリーナ。
【請求項９】
前記接続部（７０）は、リングの形態で前記圧力接続部（３３）を包囲することを特徴とする請求項８に記載の高圧クリーナ。
【請求項１０】
前記接続部（７０）は、前記往復ポンプ（１６）の長手軸線方向に横断して横に突出しかつ前記ポンプヘッド（２７）に当接している二つの突出部（７４、７５）を有することを特徴とする請求項７又は８に記載の高圧クリーナ。
【請求項１１】
前記締め付け要素（５６；８６）は一片で形成されていることを特徴とする請求項１〜１０のいずれか１項に記載の高圧クリーナ。
【請求項１２】
前記締め付け要素（５６；８６）は金属で作られていることを特徴とする請求項１〜１１のいずれか１項に記載の高圧クリーナ。
【請求項１３】
前記締め付け要素（５６；８６）はシート金属部として構成されていることを特徴とする請求項１〜１２のいずれか１項に記載の高圧クリーナ。
【発明の詳細な説明】
【０００１】
本発明は、ポンプヘッドが往復ポンプ上に位置決めされ、往復ポンプの長手軸線方向に前後に移動することができる少なくとも一つのピストンはポンプヘッド内に突出し、ポンプヘッドは、清掃液を送る吸引接続部と、清掃液を放出する圧力接続部とを備え、かつ複数の調整弁を収容し、ポンプヘッドはプラスチックで作られており、ポンプヘッドが締め付け要素によって往復ポンプに留められている、締め付け要素は、基部と往復ポンプのほぼ長手軸線方向に整列された二つの足部とを有する少なくとも一つのＵ字形状の締め付けブラケットを有する、往復ポンプを有する高圧クリーナに関する。
【０００２】
例えば高圧クリーナで使用されることができる往復式ポンプが米国特許第５２１５４４３号及び独国特許第４２０９４６１号に記載されている。往復式ポンプの各々はポンプヘッドを有し、ポンプが低圧で使用される場合にプラスチック製のポンプヘッドを使用することが独国特許第４２０９４６１号において提案されている。
導入部分で記載されている特徴を有する高圧クリーナが独国特許第１９５４８４９８号において公知である。この特許明細書では、経済的に作られることができかつ比較的に軽量であるプラスチック製のポンプヘッドを作ることを提案している。前述の特許明細書は、高圧クリーナの操作中に生じる高圧と、高圧に付随したかなりの機械的な負荷とに耐えることができるために、ポンプヘッドを往復ポンプに留める締め付け要素を提案している。この締め付け要素は、フレームワークのように構成されたキャップとしてここに形成され、かつ、往復ポンプの長手軸線に関して横に延びている複数の腕木と、圧力スタブとして形成されているポンプヘッドの圧力接続部が中を通る接続パイプとを有する。さらに、締め付け要素は支持フランジを備え、このフランジは段階状の圧力スタブに当接し、そこから腕木は往復式の長手軸線に関して横に往復ポンプの方向に延びている。クランプ要素は、特に、ポンプヘッドに当接する基部と往復式ポンプのほぼ長手軸線方向に整列された二つの足部とを有するＵ字形状のクランプブラケットを有する。高圧クリーナの組み立て中、締め付け要素の支持フランジが表面領域全体を通してポンプヘッドの対応する段階状の圧力スタブに当接することが保証されなければならない。
独国実用新案第２９７０１５５５号では、前述の独国特許第１９５４８４９８号に記載されているように、ポンプヘッド及び往復式ポンプの両方との確実な嵌め合いによってクランプ要素を往復式ポンプに接続することが提案されている。しかしながら、このような接続要素は、わずかでない製造コスト及び組み立てコストと関連している。
【０００３】
本発明の目的は、より簡単に組み立てることができ、かつポンプヘッドと往復式ポンプを確実に接続することができる一般的なタイプの高圧クリーナを展開することである。
【０００４】
この目的は、足部の自由端部が、往復式ポンプのピストンガイドの金属製の当接面に当接し、かつ往復式ポンプに解放可能に接続されることができる、導入部分に記載されたタイプの高圧クリーナの場合、本発明によって実現される。
【０００５】
独国特許第１９５４８４９８号において公知の締め付け要素の形状はかなり簡単化されることができるということがわかっている。締め付けブラケットの自由端部が往復ポンプのピストンガイドの金属当接面に当接し、かつ例えば螺合で往復ポンプへ解放可能に接続されることが保証されているが、プラスチック製のポンプヘッドの満足できる機能を保証するために要求されることは、締め付け要素が少なくとも一つのＵ字形状締め付けブラケットを有することだけである。締め付けブラケットにより、プラスチック製のポンプヘッドが高い圧力でも耐えることができるということが保証されている。このため、Ｕ字形状の締め付けブラケットはポンプヘッド周りで係合し、金属製の当接面と直接的に当接している。金属の構成により、高圧クリーナの連続的な操作中でさえ、締め付けブラケットが取り付けられる時に、締め付けブラケットへの締め付けトルクがかかり、締め付けブラケットの緩まりが防がれる。このような緩まりは、締め付けブラケットによってプラスチック部にかけられる高い機械的な負荷のために、特に締め付けブラケットの足部の自由端部がプラスチック部に当接する時に生じる。このプラスチック部は時間を通して可塑化し、すなわち、プラスチック製の当接面の場合、収縮し、締め付け要素が緩み、プラスチック製のポンプヘッドの機能が損なわれる。本発明によれば、締め付け要素の当接面は金属製であり、高圧クリーナの操作中、締め付け要素は緩むのが防がれる。これにより、締め付け要素は特に簡単な形状で構成されることができる。
【０００６】
往復ポンプのピストンガイドが、締め付けブラケットの往復ポンプへの解放可能な接続のための接続要素が通る貫通開口を有することで高圧クリーナの組み立てはさらに簡単化することができる。
【０００７】
往復ポンプはピストンガイドがその上に位置決めされるカップ状ポンプハウジングを好ましくは備え、締め付けブラケットはポンプハウジングへ解放可能に好ましくは接続されることができる。
【０００８】
締め付けブラケットの足部は、往復ポンプとは反対のポンプヘッドの端面の領域に当接する基部から開始して往復ポンプの長手軸線に対して横にポンプヘッドに沿ってほぼポンプハウジングのレベルまで延びてもよい。
【０００９】
あるいは、ピストンガイドは、往復ポンプの長手軸線方向に整列されかつポンプヘッドに向けられ、締め付けブラケットの足部がその自由端に当接する金属製ガイドスリーブを有してもよい。ガイドスリーブの自由端部は、締め付けブラケット用金属当接面を形成し、ガイドスリーブがポンプヘッドに向けられているので、締め付けブラケットの足部の長さを低減することができ、その結果、締め付け要素の特に安定した形状が実現される。
【００１０】
好ましくは、締め付けブラケットを往復ポンプに解放可能に接続するための接続要素が、ガイドスリーブを通過する締め付け要素として形成され、ポンプハウジングの対応する雌ねじ部と係合している。締め付けブラケットは締め付けねじによってポンプハウジングへ螺合することができる。この場合には、締め付けねじは、ピストンガイドのガイドスリーブを通過し、すなわち、締め付けブラケットをポンプハウジングへ接続し、同時にピストンガイドを機械的に留める。
【００１１】
特に高い機械的負荷に耐える高圧クリーナの形状では、締め付けねじは、ガイドスリーブの雌ねじ部と係合し、締め付け要素が往復ポンプのピストンガイドへ解放可能に接続されることができる。往復ポンプのポンプハウジング上にピストンガイドを機械的に留めるさらなる接続要素が設けられている。
【００１２】
好適な実施例において、締め付け要素は、Ｕ字形状の二つの締め付けブラケットを有し、第一の締め付けブラケットは吸引接続部に隣接した下側領域において、ポンプヘッド周りで係合し、その一方で、第二締め付けブラケットは吸引接続部と反対の上側領域においてポンプヘッド周りで係合する。往復ポンプの長手軸線方向において圧力接続部のレベルに整列された中央の平面に関してほぼ鏡面対称に二つの締め付けブラケットを使用することにより、機械的な負荷が特に一様になることが可能である。傾斜モーメントが確実に防がれる。
【００１３】
二つの締め付けブラケットは接続部を介して好ましくは強固に互いに接続されており、その結果、締め付け要素は特に高い機械的な安定性を得ている。
【００１４】
高圧クリーナの組み立て中に締め付け要素の位置決めを簡単化するので、接続要素がリングの形態のポンプヘッドの圧力接続部を包囲すると有利である。この目的のために必要なことは、接続部を有する締め付け要素を圧力接続部上に位置決めすることだけである。
【００１５】
締め付け要素は、二つの締め付けブラケットの基部によってポンプヘッドの自由端面に当接し、締め付け要素を往復ポンプへの接続するために、ポンプヘッドは、基部による締め付け力を受ける。有利的な実施例では、接続部は、往復ポンプの長手軸線方向に対して横に突出しかつポンプヘッドに当接する二つの突出部を有する。締め付け要素がポンプヘッドに当接している面が増加し、これによりポンプヘッドの負荷がより一様になり、機械的安定性が向上する。
【００１６】
もし締め付け要素が一片で形成されると有利である。これにより、製造コストを低減することができるだけでなく、機械的により安定した形状になる。
【００１７】
締め付け要素は、例えばシート金属部の形態の金属で好ましくは構成されている。あるいは、締め付け要素が例えば亜鉛又はアルミニウムのダイカストとして形成されてもよい。
【００１８】
発明の実施の形態
本発明の好適な実施例の以下の記載は、図面と関連したより詳細な説明に役立つ。図１は、参照番号１０によって全体的に示されかつ電気モータ１２を有する高圧クリーナを示している。電気モータの端側において、往復ポンプ１６がファン１３及び歯車機構１４を介してフランジ接続されている。この往復ポンプは、ほぼポットの形態で構成されており、かつ筒状のハウジングケース１８及びハウジング基部１９を有するポンプハウジング１７を備えている。歯車機構１４を周方向に包囲する襟部２０がハウジング基部１９に付けられている。複数のピストン２３が当接している斜板２１は、ポンプハウジング１７内に位置決めされている。これらのピストンは、斜板２１の回転運動によって往復ポンプ１６の長手軸線方向に前後に移動する。
【００１９】
往復ポンプ１６はピストンガイド２５をさらに備えている。ピストンガイド２５は、カップ状ポンプハウジング１７上に位置決めされており、かつピストン２３用のガイドを形成する。
【００２０】
ポンプヘッド２７は往復ポンプ１６のピストンガイド２５上に位置決めされている。このポンプヘッド２７は、ポンプ室２９（図面には略図的に示されている）を備え、ピストン２３はこのポンプ室２９を貫通している。ポンプヘッド２７は吸引接続部３１と、圧力スタブ３３として構成されている圧力接続部とをさらに有している。吸引接続部は、吸込弁３５を介してポンプ室２９と流体的に接続されており、ポンプ室２９は圧力弁３７を介して圧力室３８へ接続されている。圧力室３８は、逆止弁３９及びインジェクタ４０を介して圧力スタブ３３と流体的に接続されている。
【００２１】
高圧クリーナの操作中には、例えば水などの清掃液は、吸引接続部３１内に広がっている吸引スタブ４１を介してポンプヘッド３７へ送られることができる。清掃液は吸引接続部３１から吸込弁３５を介してポンプ室２９内に流れ、次いで、圧力弁３７及び逆止弁３９を介して圧力下で圧力スタブ３３に送られる。
【００２２】
インジェクタ４０は、加圧された清掃液の流れ断面の狭い部分を形成する。この最も狭い断面の位置において、横断ボア４２がインジェクタ４０と化学的接続部４４の接続部を作り、化学的ライン４６は、広くなっている接続部要素４８を経由して接続部４４を通り、その一方で、接続ニップル５０は化学的接続部４４から突出している。
【００２３】
特に図３から明らかなように、ポンプヘッド２７は例えばポリアミドなどのプラスチックで作られており、二つの部分で形成されている。ポンプヘッド２７の第一の部分は、シリンダヘッド５２を形成し、シリンダヘッド５２はポンプ室２９を有しかつ吸込弁３５及び圧力弁３７を収容している。ポンプヘッド２７の第二の部分は、調整ハウジング５４によって形成されており、調整ハウジング５４は、吸引接続部３１と圧力スタブ３３と化学的接続部４４とを有し、かつ逆止弁３９とインジェクタ４０と化学的ライン４６を収容している。
【００２４】
高圧クリーナ１０の操作中に生じかつ往復ポンプ１６の長手軸線方向に作用する軸線方向の力は、ポンプヘッド２７の自由端面上に配置されている締め付け要素５６によって吸収され、この自由端面は往復ポンプ１６とは逆に向けられている。以下により詳細に説明するように、この締め付け要素は締め付けねじ５８によって往復ポンプ１６へ螺合されている。
【００２５】
締め付け要素５６は、図２に斜視的に示されている。締め付け要素５６は、ほぼ往復ポンプ１６の長手軸線方向に整列された二つの足部６１、６２と湾曲した基部６３とを有する第一のほぼＵ字形状の締め付けブラケット６０と、同様に、足部６６、６７と基部６８とを有する第二のほぼＵ字形状の締め付けブラケット６５とを備えている。二つの基部６３及び６８は、貫通通路ボア７１を有する強固な接続部７０と第二の締め付けブラケット６５の足部６６、６７に平行に整列されている側壁７２、７３とを介して互いに接続されている。このクランクブラケット６５の自由端領域において、往復ポンプ１６の長手軸線方向に横断して整列されている保持突出部７４、７５が突出している。
【００２６】
足部６６、６７、７１及び７２の自由端部は、各場合において、往復ポンプ１６の長手軸線に横断して整列された保持リング６６として、構成されている。
【００２７】
高圧クリーナ１０の組み立て中において、締め付け要素５６はポンプヘッド２７の自由端部上に位置決めされており、圧力スタブ３３は貫通通路ボア７１を通過し、第一締め付けブラケット６０の湾曲した基部６３が吸引接続部３１の領域内でポンプヘッド２７に当接し、その一方で、第二の締め付けブラケット６５の基部６８は化学的接続部４４の領域内でポンプヘッド２７に当接する。化学的接続部４４を操作することができるように、第二の締め付けブラケット６５の基部６８は、ボア７８を有する。化学的接続部４４はこのボア７８を通過する化学的ライン４６の接続ニップル５０を有する。したがって、ポンプヘッド２７は、吸引接続部３１に隣接した下側領域と、吸引接続部３１と離れかつ化学的接続部４４に隣接した上側領域の両方の各場合において、ポンプヘッド２７周りで係合する締め付けブラケットを有する。さらに、接続部７０の保持突出部７４、７５はポンプヘッド２７の端側と当接するようになる。こうして、ポンプヘッド２７は、基部６３及び６８の領域と、保持突出部７４、７５の領域において高圧クリーナの軸線方向に支持される。ポンプヘッド２７で生じる軸線方向の力は締め付け要素５６によって吸収される。
【００２８】
図３、４及び５に往復ポンプ１６上に締め付け要素５６を固定する様子が詳細に示されている。当然、異なる構成の締め付け要素５６を使用することができる。
【００２９】
図３に示されている第一実施例によれば、締め付け要素５６の二つの締め付けブラケットの足部は、ほぼポンプヘッド２７全体、すなわち、調整ハウジング５４及びシリンダヘッド５２の両方に沿って延びている。
【００３０】
すでに説明したように、往復ポンプ１６は、ピストンガイド２５がその上に位置決めされているポンプハウジング１７を備えている。このため、ピストンガイド２５はガイドフランジ７８を有する。ガイドフランジ７８は金属で作られており、締め付け要素５６用当接面を構成している。
【００３１】
図３に示されている第一の例示的な実施例において、ガイドフランジ７８は、ボア８０を通過する締め付けねじ８２を有する貫通通路ボア８０を備えている。締め付け要素５６は、締め付けねじ８２によってポンプハウジング１７に螺合されることができる。
【００３２】
第二実施例の高圧クリーナ１０が図４に示されている。第二実施例は、ピストンガイド２５については、ポンプハウジング１７から始まってシリンダヘッド５２に沿って延びている金属製ガイドスリーブ８４を有するガイドフランジ８３が使用されているという点で前述の構成と異なっている。締め付け要素８６は保持リング７６によってガイドスリーブ８４の自由端面に当接し、この締め付け要素は足部６１、６２及び６６、６７が短くされており、ポンプヘッド２７の調整ハウジング５４に沿ってただ延びているという点だけが前述の締め付け要素５６と異なっている。足部が短い構成なので、締め付け要素８６は、よりコンパクトな構成、したがって、より高い機械的安定性が特徴である。ポンプハウジング１７上の締め付け要素８６の固定は締め付けねじ８８によって行なわれる。クランクねじ８８はガイドスリーブ８４を通過してポンプハウジング１７の雌ねじ部８９と係合する。締め付け要素８６を固定する他に、締め付けねじ８８はピストンガイド２５のガイドフランジ８３を固定する機能がある。
【００３３】
第三実施例の高圧クリーナが図５に示されている。この高圧クリーナは、図４を参照して記載したのと同様に、締め付け要素８６を有する。しかしながら、図５に示されている構成では、第二実施例とは対照的に、ガイドフランジ９１がピストンガイド２５に設けられている。このガイドフランジ２５は、固定ねじ９３の貫通通路用貫通通路ボア９２と、雌ねじ部９５を備えかつ締め付けねじ９６と係合しているガイドスリーブ９４とを有する。図５に示されている第三実施例では、締め付け要素８６は、締め付けねじ９６によってガイドフランジ９１のガイドスリーブ９４上で固定されている。ガイドフランジ９１の固定は、ガイドスリーブ９４に関してガイドフランジ９１の周方向に偏倚している別個の固定ねじ９３によって行なわれる。
【００３４】
前述の三つの実施例全ての高圧クリーナにおいて、締め付け要素５６又は５８が、ガイドフランジ７８又はガイドフランジ８３及び９１それぞれの形態で、金属当接面と直接的に当接する。この場合、締め付け要素５６又は８６の解放可能な接続部は、各金属構成の当接面によって締め付けねじ８２、８８、９３によって行なわれ、締め付け要素５６又は８６が高い締め付けトルクを受けることができ、締め付け要素が高圧クリーナ１０の操作中に緩くならないということが保証されている。プラスチック製の二つの部品で作られたポンプヘッド２７で生じている軸線方向の力は、締め付け要素５６又は８６によって確実に吸収され、ポンプハウジング１７へ伝えられる。
【図面の簡単な説明】
【図１】高圧クリーナの略図的な長手軸線方向断面図を示す。
【図２】図１の高圧クリーナで使用されている締め付け要素の斜視図を示している。
【図３】本発明の第一実施例による締め付け要素を備えた、図１の矢印Ａの方向の高圧クリーナの図を示す。
【図４】本発明の第二実施例による締め付け要素を備えた図３に対応する図を示す。
【図５】本発明の第三実施例による締め付け要素を備えた図３に対応する図を示す。
【図１】
0003554280.tif 000002
【図２】
0003554280.tif 000003
【図３】
0003554280.tif 000004
【図４】
0003554280.tif 000005
【図５】
0003554280.tif 000006